Podtech/llm-jp-corpus-v4-ja_patent huggingface dataset:
(57)【要約】      （修正有）【課題】新聞チラシ折り込み機から出力された新聞と各種チラシの折り込み製品のジョイナー（ビニール包装機）への入力の省力化。【解決手段】新聞チラシ折り込み機の出力口とジョイナー（ビニール包装機）の入力口をOutput Inputブリッジで共通させて２つの機械を一体化したニュースプロダクトメーカ。【選択図】図１
0003131760.tif 000002
【実用新案登録請求の範囲】
【請求項１】
新聞チラシ折り込み機からの新聞とチラシの折り込み製品をOutput Inputブリッジで出力させそのままジョイナー（ビニール包装機）に入力させるように新聞チラシ折り込み機とジョイナー（ビニール包装機）を一体化して人手を省いたニュースプロダクトメーカ。
【考案の詳細な説明】
【技術分野】
【０００１】
本考案は、従来のジョイナー（ビニール包装機）入力省エネ化としてのニュースプロダクトメーカに関する。
【背景技術】
【０００２】
ニュースプロダクトメーカは、新聞チラシ折り込み機の出力製品を人手でジョイナーの投入口に入力して包装していたものである。
【考案の開示】
【考案が解決しようとする課題】
【０００３】
しかしながら、ニュースプロダクトメーカは、新聞チラシ折り込み機とジョイナー（ビニール包装機）と２種類各１台以上の別々の機械で新聞と各種チラシを入出力くり返し人手がその都度かかり日本で４０万人（２００６年）の配達夫の工数削減のテーマであった。
【０００４】
本考案は上記実情に鑑みてなされたものであり、2種類の機械を結合（一体化）する事を目的としている。
【課題を解決するための手段】
【０００５】
上記目的を達成するため考案は、新聞チラシ折り込み機製品出力口とジョイナー製品入力口とを共通させることであり、次の構成を含むことを特徴としている。共通させたOutput Inputブリッジで、２種類の機械を結合（一体化）するものである。
【考案の効果】
【０００６】
本考案により新聞チラシ折り込み機製品取出受取人とジョイナー製品投入取扱人が不要にできる。
【考案を実施するための最良の形態】
【０００７】
本考案の実施の形態の一例について図面を参照しながら説明する。
ニュースプロダクトメーカは、図１に示すように、新聞チラシ折り込み機１とジョイナー（ビニール包装機）２それに結合（一体化）するOutput Inputブリッジ３の傾きで滑らかに製品を自動的に搬出入するもの。
【図面の簡単な説明】
【０００８】
【図１】本考案のニュースプロダクトメーカを示す図である。
【符号の説明】
【０００９】
１        新聞チラシ折り機
２        ジョイナー（ビニール包装機）
３        Output Inputブリッジ
４        完成新聞プロダクト
５        新聞チラシ折り込み出力口
６        ビニール包装出力口
７        各種チラシ投入口
８        新聞投入口
９        ニュースプロダクトメーカ
【図１】
0003131760.tif 000003
【手続補正書】
【提出日】平成19年3月1日(2007.3.1)
【手続補正１】
【補正対象書類名】実用新案登録請求の範囲
【補正対象項目名】請求項１
【補正方法】変更
【補正の内容】
【請求項１】
新聞チラシ折り込み機からの新聞とチラシの折り込み製品を出力するそして、ジョイナーと称するビニール包装機に入力するOutputInputブリッジを共有する事により新聞チラシ折り込み機とジョイナーと称するビニール包装機を一体化して人手を省いたニュースプロダクトメーカ。
(57)【要約】【課題】    衣服等に使用されているローラークリーナーのロールペーパーに付着物がついても、ミシン目がかくれることなく使用後に簡便に粘着テープを剥しやすく、切り取りを容易にする。【解決手段】  ロールペーパー５に粘着面９及び非粘着面１０を設け、多量に付着物が付いてもミシン目６が判別し、ミシン目に添って剥しやすくするため指先があたる所をＶ字状８に切込みを設けたロールペーパーを装着する。【選択図】図２
0003131755.tif 000002
【実用新案登録請求の範囲】
【請求項１】
柄（握部）の付いた軸に筒状の回転体を装着し、回転体に非粘着部と粘着部のあるロールペーパーを挿入し一体とする、粘着テープを利用したローラークリーナー。
【請求項２】
ロールペーパーを回転し使用後容易に一周分を剥がし切り取るために、ロールペーパーの先端にＶ字状の切込みを付与し、長穴状のミシン目の片端に指先をあてやすくした請求項１記載のローラークリーナー。
【考案の詳細な説明】
【技術分野】
【０００１】  本考案は、衣服に付着するゴミ、頭皮のフケ、ペットの毛等を簡便に除去するローラークリーナーに関する。
【背景技術】
【０００２】  従来のローラークリーナーは、衣服についた付着物を除去する粘着テープを剥がしにくかったり、次の新しい粘着面まで破ることがあり使い勝手が悪い。
【考案の開示】
【考案が解決しようとする課題】
【０００３】  ロールペーパーの粘着面を使用後剥しやすく、切れやすくする、これらの課題を解決するのが本考案の目的である。
【課題を解決するための手段】
【０００４】  本考案は、付着物の付いたロールペーパーを剥がしやすくするためロールペーパーの片端にＶ字状の切込みをつくり指先をあてやすくした。【０００５】  ロールペーパーの粘着面に付着物が多くついたとき、ミシン目が見えにくいので、粘着面と粘着面の間に非粘着面の空間を設けた。空間部分は淡色としミシン目が見えやすくした。【０００６】  ロールペーパーのミシン目は、長穴を有し長穴と長穴の間隔は最小にし切れやすくした。
【考案の効果】
【０００７】  上述のように本考案の粘着テープを利用したローラークリーナーは、ロールペーパーの粘着面が従来のガムテープと違い非粘着面を設け、ミシン目を見えやすくし、しかもロールペーパーの片端にＶ字状のカットをつけたため、指先があてやすく難なく使用後の粘着テープを剥がすことが出来るようになる。
【考案の実施するための最良の形態】
【０００８】  以下、本考案の実施形態を図１〜図２に基づいて説明する。
【０００９】  図１において、１はローラークリーナー本体で、２は柄（握部）であり３は柄にはめ込んだ軸で、４の筒状の回転体を支えストップリングで固定してある。ロールペーパー５を４に挿入しやすくするために、カット部７を回転体の円周の３分の１の間隔で切り込みをつくる。
【００１０】  図１及び図２においてミシン目６は長穴状にし片方のミシン目の端にＶ字状８の切込みをつけたロールペーパー５を使用する。
【００１１】  ロールペーパー５には粘着面９及び非粘着面１０を設け非面着面は淡色にし、付着物が多くてもミシン目６が見えやすくした。
【図面の簡単な説明】
【００１２】
【図１】  本考案の実施形態を示す粘着テープを利用したローラークリーナーの全体図及び一部断面図
【図２】  本考案の粘着テープを利用したローラークリーナーに使用される粘着テープの展開図
【符号の説明】
【００１３】      １  ローラークリーナー本体
２  柄（握部）
３  軸
４  筒状の回転体
５  ロールペーパー
６  ロールペーパーのミシン目
７  筒状回転体の切込み部
８  ミシン目部のＶ字状の切込み部
９  ロールペーパーの粘着面
１０  ロールペーパーの非粘着面
【図１】
0003131755.tif 000003
【図２】
0003131755.tif 000004
(57)【要約】【課題】  衣服に付着したゴミ、ペットの毛等は、手指やブラシ又はガムテープの切れ端で粘着させて除去しているが、手軽に簡便に使用出来るようにする。【解決手段】粘着クリーナー本体１は携帯に便利な名刺の大きさ程度にし、カバー紙２を開いて粘着紙の粘着部３で付着物を除去する、粘着紙を剥しやすくするため、台紙及び粘着紙にカット部６を設ける。【選択図】図１
0003131756.tif 000002
【実用新案登録請求の範囲】
【請求項１】
衣服等に付着したゴミ、ペットの毛等を簡便に取り去るために、粘着面と非粘着面を有している粘着紙を、台紙に数拾枚重ねた携帯用粘着クリーナー。
【請求項２】
カバー紙を開きやすくするため粘着紙と台紙の片側の角をカットし、使用時にカバー紙の端を指でつまみやすくした請求項１記載の粘着クリーナー。
【考案の詳細な説明】
【技術分野】
【０００１】  本考案は、衣服等に付着するゴミ、ペットの毛等を除去する粘着クリーナーに関する。
【背景技術】
【０００２】  従来、衣服等に付着したゴミ、ペットの毛等は小さい程、手指で取りにくく、たたいたり、ガムテープの切れ端等で粘着し除去することが簡便な方法であった。
【考案の開示】
【考案が解決しようとする課題】
【０００３】  携帯にも便利な様に名刺の大きさ程度にし、粘着紙を使用後剥しやすくするのが本考案の目的である。
【課題を解決するための手段】
【０００４】  本考案は、付着物の付いた粘着紙を剥がしやすくするため粘着面と非粘着面を有している。【０００５】  粘着紙を重ねる台紙の片側の角をカットし、カバー紙を開きやすい様にする。
【考案の効果】
【０００６】  上述の様に、本考案の携帯用粘着クリーナーは、手軽に簡便に使用できる、使用後の粘着紙は１枚づつ取り去りやすいので手指に汚れ等がつきにくい、台紙の裏側は白紙なので宣伝用の印刷も可能である。
【考案の実施するための最良の形態】
【０００７】  以下、本考案の実施形態を図１〜図２に基づいて説明する。
【０００８】  図において、１は粘着クリーナーの本体で、２は本体と一体に形成されているカバー紙、３は粘着面を４は非粘着面を有している粘着紙である。
【０００９】  図１においては、５は台紙で粘着紙貼り付け側は粘着面を有している、６は剥しやすくするために粘着紙の角をカット状にする。
【図面の簡単な説明】
【００１０】
【図１】本考案の実施形態を示す携帯用粘着クリーナーの展開図
【図２】本考案の携帯用粘着クリーナーの斜視図
【符号の説明】
【００１１】      １    粘着クリーナ本体
１ａ  折り曲げ部
２    カバー紙
３    粘着紙の粘着部
４    非粘着面を有している粘着紙
５    粘着クリーナー本体の粘着面を有する台紙
６    台紙及び粘着紙のカット部
【図１】
0003131756.tif 000003
【図２】
0003131756.tif 000004
(57)【要約】      （修正有）【課題】手狭な洗面所の歯磨チューブがいくらかでも整理出来、綺麗に使え歯も入れ歯も簡単に磨けるようにする。【解決手段】立型歯磨チューブの特性を生しメラミン樹脂部でロックし、ワンタッチで取付られ、歯磨を出す事も片手で出来歯磨チューブを出来るだけ選ばないよう交換キャップを付けた。【選択図】図１
0003131711.tif 000002
【実用新案登録請求の範囲】
【請求項１】
歯磨チューブの硬いメラミン樹脂部で取付け、ロックする構造を有するラミネートチューブスタンド。
【請求項２】
請求項１記載の歯磨チューブのメラミン樹脂部で取付る事を特徴とし、ロック機構を有するラミネートチューブスタンド。
【考案の詳細な説明】
【技術分野】
【０００１】  ラミネートチューブスタンド
【背景技術】
【０００２】  ラミネートチューブの注出できるスタンドを市場でも実用新案登録でも２００５年までは見かけなかった。
【考案の開示】
【考案が解決しようとする課題】
【０００３】  入れ歯と残歯を磨くことがとても大変で、簡単に磨く事が出来れば、また手狭な洗面所に歯磨のチューブが雑然と置いてある時、いくらかでも整理出来ればと考えた。
【課題を解決する為の手段】
【０００４】  立型歯磨チューブの特性を生しメラミン樹脂部でロックし、ワンタッチで取付られ歯磨を出す事も片手で出来歯磨チューブを出来るだけ選ばないよう交換キャップを取付けました。
【考案の効果】
【０００５】  歯磨チューブの取り付けがワンタッチで出来る。
【０００６】  歯磨ナューブをホルダーに取り付ける為、片手で歯磨を出すことも簡単です。
【０００７】  ロック機構を付けスタンド部のデザインを色々変えれば新しいルームアクセサリーです。
【０００８】  キャップを交換し取り付け取り外しも簡単。
【考案を実施する為の最良の形態】
【０００９】  取り付け、取り外しの簡単な交換キャップが、共通キャップとなればよいのですが。
【実施例】
【００１０】  立型歯磨チューブのキャップを交換しチューブホルダーに取り付けます。【００１１】  使い始めは歯磨が出過ぎる事があります。押し過ぎ無い様に、通常の使い方で歯磨が少なくなった時、チューブの力で形が復元し空気を押す事で歯磨を押出す事が出来ます。【００１２】  使用後は交換キャップを取付けます。
【図面の簡単な説明】
【００１３】
【図１】本考案の正面部分断面図
【図２】同側面部分断面図
【符号の説明】
【００１４】１、  スタンド
２、  チューブホルダー
３、  交換キャップ
４、  メラミン樹脂
ａ、  可動部
ｂ、  ロック部
ｃ、  歯ブラシ置き場
【図１】
0003131711.tif 000003
【図２】
0003131711.tif 000004
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブの硬い樹指部を下向に取り付ける事を特徴とし、固定する構造を有する、ラミネートチューブスタンド。
【請求項２】
硬い樹指部を下向に取り付ける事を特徴とし、キャップ取付ネジ部で固定する構造を有する、請求項１記載のラミネートチューブスタンド。
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブの硬い樹脂部を下向に取り付ける事を特徴とし、環状形ホルダーの前部を開き、圧入し固定する構造を有するラミネートスタンド
【請求項２】
キャップ取付部をネジ止め又は圧入し固定する構造を有する請求項１記載のラミネートチューブスタンド。
(57)【要約】      （修正有）【課題】缶飲料の転倒などの無駄な気づかいもなく楽しい飲食ができ、また、両手が空くとともに、手の届く理想的な胸の位置に缶をキープする事により容易に飲むことができ、さらに体の不自由な人にとっても大変実用的なものである缶飲料つり下げ具の提供。【解決手段】缶飲料のプルタブを利用し首につるす事により、胸のすぐ手の届く所にいつも缶をキープ出来るようにしたものである。【選択図】図１
0003131563.tif 000002
【実用新案登録請求の範囲】
【請求項１】
軟プラスチックで出来ているもので一端はプルタブをおおい込む形状になっておりもう片方の端部は上部缶蓋接合部の立ち上がり部の形状を差込部に持った作りになっている又前記タブをおおう形状部には、可動式つり下げ板を設けた缶飲料つり下げ具
【考案の詳細な説明】
【技術分野】
【０００１】本考案は缶飲料を首にかけて飲むことが出来るつり下げ具に関するものである。
【背景技術】
【０００２】これまで、本考案の様な缶飲料のつり下げ具は目にすることはなかった。
【考案の開示】
【考案が解決しようとする課題】
【０００３】これまでは、花見などを例に見るとシートなどの安定しない場所での飲食はビール、ジュースの置き場所に困るものであった。また缶の転倒により大変な事になりがちであった。
【課題を解決するための手段】
【０００４】そこで、缶飲料のプルタブを利用し首につるす事により胸のすぐ手の届く所にいつも缶をキープ出来るようにしたものである。
【考案の効果】
【０００５】本考案により、缶飲料の転倒などの無駄な気ずかいもなく楽しい飲食ができる。また、本考案により両手が空くとともに、手の届く理想的な胸の位置に缶をキープする事により容易に飲むことが出来る。さらに体の不自由な人にとっても大変実用的ものであると考えられる。
【考案を実施するための最良の形態】
【０００６】図４に示すように、一端Ａはプルタブに差し込める構造にし反対側一端Ｂは缶上部接合部分立ち上がり部の形状を、はめこみ部Ｂに施す。また、はめ込み部Ｂは密着を要し容易に抜けないよう立ち上がり形状部を模りする。また、差込部Ａの最短部付近にＣの可動式つり下げ板を設ける。尚、缶飲料を飲むことを妨げないためにＤのスプリングを設ける。
【図面の簡単な説明】
【０００７】
【図１】本考案の斜視図
【図２】本考案と飲料缶の使用例図
【図３】スプリング部詳細図
【図４】本考案裏面図
【符号の説明】
【０００８】Ａ  プルタブ挿入部
Ｂ  はめ込み部
Ｃ  つり下げ板
Ｄ  スプリング部
【図１】
0003131563.tif 000003
【図２】
0003131563.tif 000004
【図３】
0003131563.tif 000005
【図４】
0003131563.tif 000006
(57)【要約】      （修正有）【課題】便器の外部に汚水が飛散することなく、安心して用便が出来る清潔便器を提供する。【解決手段】座位の便座カバー１の下部２に一体成型となる飛散防止の凸部３を設ける。この凸部３は、便器４の縁５の全体を覆うようにする。以上の構成からなる便器の飛散防止装置。使用に際しては、今までと同じ使用法で、便器以外に飛散する事なく、衣服は汚れなく床の清掃や便器の外部の清掃もなく、便座の清掃も少なく済む利点が生まれる。【選択図】図２
0003131566.tif 000002
【実用新案登録請求の範囲】
【請求項１】
便座カバーの下部に凸部を設けて、この凸部が便器の縁全体を覆うことを特徴とした便器の飛散防止装置。
【考案の詳細な説明】
【技術分野】
【０００１】  本考案は、便器使用時に便器以外に飛散を防止する一体型の防止装置に関するものである。
【背景技術】
【０００２】  従来、便器使用時は、防止装置がなかったため、座位で小便等色々な状態で便器の下の外部にたれたりして、衣服や床を汚す。最近は洗浄型が普及したため、余計に下に垂れることが多いのが現状である。
【考案が解決しようとする課題】
【０００３】  次のような問題点があった。
［１］衣服は汚れるし、床は清掃したり、下の便器も掃除しなければならない。
［２］調査した結果、単品でセットしたりする物はあるが、手間がかかるし、スタイルが良くない。
本考案は、以上の問題点を解決するためなされたものである。
【課題を解決するための手段】
【０００４】  便座カバーの下部に凸部を設けて、この凸部が便器の縁全体を覆うことを特徴とした便器の飛散防止装置。
【考案の効果】
【０００５】  飛散した汚水は全量、下の便器へ落下する。余分の道具等、使う必要がない。
【考案を実施するための最良の形態】
【０００６】  以下、本考案の実施の形状を説明する。
（１）座位の便座カバー（１）の下部（２）に一体成型となる飛散防止の凸部（３）を設ける。
（２）この凸部（３）は、便器（４）の縁（５）の全体を覆うようにする。
本考案は以上の構成からなる便器の飛散防止装置である。
次に本考案の使用法について説明する。
使用に際しては何等操作しなくて、今までと同じ使用法で、便器以外に飛散する事なく、衣服は汚れなく床の清掃や便器の外部の清掃もなく、便座の清掃も少なく済む利点が生まれる。
【図面の簡単な説明】
【０００７】
【図１】  現在の便器の断面図と飛散の流れ方向図
【図２】  本考案の便器の断面図と飛散の流れ方向図
【図３】  便座を上に収納時の斜視図
【符号の説明】
【０００８】        １は便座カバー
２は便座下部
３は凸部
４は便器
５は便器の縁
【図１】
0003131566.tif 000003
【図２】
0003131566.tif 000004
【図３】
0003131566.tif 000005
(57)【要約】【課題】車のガソリンキャップの絞め忘れを防ぐ事【解決手段】ガソリンタンクの口の部分にスイッチを取り付けることにより絞め忘れの時にはサイドブレーキランプが点灯するようにした。【選択図】図１
0003131556.tif 000002
【実用新案登録請求の範囲】
【請求項１】
車のガソリンタンクの口の所に押しボタンスイッチを取り付けることによりガソリンタンクのキャップの絞め忘れを防ぐ事を目的としたガソリンキャップスイッチ。
【考案の詳細な説明】
【技術分野】
【０００１】車のガソリンタンクのキャップの絞め忘れを防ぐ事
【背景技術】
【０００２】ガソリンキャップを絞め忘れた時にサイドブレーキランプが点灯するようにした。
【考案の開示】
【考案が解決しょうとする課題】
【０００３】車のガソリンタンクのキャップの絞め忘れを防ぐ事
【課題が解決する為の手段】
【０００４】ガソリンタンクの口の部分にスイッチを取り付けることにより絞め忘れた時にサイドブレーキランプが点灯するようにした
【考案の効課】
【０００５】ガソリンもれによる火災の危険を防止する
【考案の解決するための最良の形能】
【０００６】サイドブレーキスイッチの電源を利用してキャップによりスイッチをＯＮ、ＯＦＦしてサイドブレーキランプを点灯、消灯させる
【実施例】
【０００７】ガソリンキャップの絞め忘れでサイドブレーキランプが点灯する
【図面の簡単な説明】
【０００８】
【図１】押しボタンスイッチと配線の全体図
【符号の説明】
【０００９】▲１▼  ガソリンタンク
▲２▼  ガソリンタンクの口
▲３▼  キャップ
▲４▼  密閉式押しボタンスイッチ
▲５▼  サイドブレーキスイッチ
▲６▼  サイドブレーキランプ
▲７▼  電源配線
【図１】
0003131556.tif 000003
(57)【要約】【課題】運転期間中径路で交通事故防止の人間科学の教育メディアにより教育中心として遵守する道交法自己診断表示システム。【解決手段】  道路信号機（赤黄緑）３により一旦停止した車の運転手が道交法自己診断表示システム１をタッチパネル又はリモコンカード回答システム２でオブジェクト道交法プログラム学習オペレートする道交法自己診断表示システム。【選択図】          図１
0003131551.tif 000002
【実用新案登録請求の範囲】
【請求項１】
道交法教則本（印刷メディア）のプログラム学習をオブジェクト液晶表示（電子メディア化）して、タッチパネル又はリモコンカード回答システムでオペレートする道交法自己診断表示システム。
【請求項２】
道交法教則本（印刷メディア）のプログラム学習をオブジェクトプラズマ表示（電子メディア化）して、タッチパネル又はリモコンカード回答システムでオペレートする道交法自己診断表示システム。
【請求項３】
道交法教則本（印刷メディア）のプログラム学習をオブジェクト蛍光表示管表示（電子メディア化）して、タッチパネル又はリモコンカード回答システムでオペレートする道交法自己診断表示システム。
【請求項４】
道交法教則本（印刷メディア）のプログラム学習をオブジェクト有機晶表示（電子メディア化）して、タッチパネル又はリモコンカード回答システムでオペレートする道交法自己診断表示システム。
【考案の詳細な説明】
【技術分野】
【０００１】
本考案は、従来の道交法自己診断表示システムとしての道交法教則本に関する。
【背景技術】
【０００２】
道交法教則本は交通事故防止の人間科学の印刷メディアである。
【考案の開示】
【考案が解決しようとする課題】
【０００３】
しかしながら、道交法教則本は印刷メディア（猪瀬東大教授著“コミュニケーションフロー”による娯楽メディア）であり、運転期間径路で飲酒運転の禁止、制限速度、道路標識他の遵守に教育中心でなかった。
【０００４】
本考案は上記実情に鑑みてなされたものであり、電子メディア（同著による教育メディア）化による教育中心を目的としている。
【課題を解決するための手段】
【０００５】
上記目的を達成するため考案は、運転期間径路で飲酒運転の禁止、制限速度、道路標識他の遵守することであり、次の構成を含むことを特徴としている。
道交法自己診断表示システムをタッチパネルあるいはリモコンカード回答システムによりオペレートする教育メディアとするものである。
【考案の効果】
【０００６】
本考案により運転期間径路で道交法自己診断の上安全運転ができる。
【考案を実施するための最良の形態】
【０００７】
本考案の実施の形態の一例について、図面を参照しながら説明する。
道交法自己診断表示システムは、図１に示すように、道交法自己診断表示システム１とリモコン回答システム２、道路信号機３である。
【図面の簡単な説明】
【０００８】
【図１】本考案の道交法自己診断表示システムを示す図である。
【符号の説明】
【０００９】
１      道交法自己診断表示システム
２      リモコンカード回答システム
３      道路信号機（赤黄緑）
【図１】
0003131551.tif 000003
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
印刷メディア道交法教則本のプログラム学習代替えの電子メディアオブジェクト液晶表示装置を有しタッチパネル又はリモコンカード回答システムを具備する道交法自己診断表示システム。
【請求項２】
印刷メディア道交法教則本のプログラム学習代替えの電子メディアオブジェクトプラズマ表示装置を有し、タッチパネル又はリモコンカード回答システムを具備する道交法自己診断表示システム。
【請求項３】
印刷メディア道交法教則本のプログラム学習代替えの電子メディアオブジェクト蛍光表示管表示装置を有し、タッチパネル又はリモコンカード回答システムを具備する道交法自己診断表示システム。
【請求項４】
印刷メディア道交法教則本のプログラム学習代替えの電子メディアオブジェクト有機晶表示装置を有し、タッチパネル又はリモコンカード回答システムを具備する道交法自己診断表示システム。
(57)【要約】【課題】  高齢者、腰痛等で身体の不自由な人及び妊婦、肥満の人等、腰を深く曲げ無理な姿勢で靴下を履くことは非常に困難で苦痛を伴ひ介助を必要とする【解決手段】  靴下を係止するバネ式挟み具、靴下が係止されたバネ式挟み具を引き上げるための操作棒及びその手前に固着する把手、バネ式挟み具と係止された靴下を外すためのバネ式挟み具を操作する副操作棒及びその手前に固着する把手、以上構成したものを左右対称にバネ式挟み具部で、丁番形式にて接続するＵ字型繋ぎ具からなり、腰を深く曲げることなく楽な姿勢で、手元の操作棒把手を操作し靴下が装着できる。【選択図】図１
0003131560.tif 000002
【実用新案登録請求の範囲】
【請求項１】
靴下を係止するバネ式挟み具、前記バネ式挟み具を引き上げる操作棒及び当該操作棒に固着された把手、前記バネ式挟み具を開閉操作する副操作棒及び当該副操作棒に固着された把手により構成し、それを１組とし、その２組を前記バネ式挟み具部分で足巾程度のＵ字型繋ぎ具により左右対称に、丁番形式にて接続していることを特徴とする靴下装着補助具。
【請求項２】
請求項１のバネ式挟み具は、挟み面の係止を強化するため挟み面各々に高さ１〜２ｍｍ程度の凸部を設け、その凸部は噛み合うよう、ずらして成型していることを特徴とする靴下装着補助具。
【請求項３】
請求項１のＵ字型繋ぎ具の断面は円形であり、Ｕ字型は下部の巾より上部の巾が狭くなっていることを特徴とする靴下装着補助具。
【考案の詳細な説明】
【技術分野】
【０００１】  本考案は、靴下装着補助具に関するものである。
【背景技術】
【０００２】  高齢者、腰痛等で身体の不自由な人及び妊婦、肥満の人等、腰を深く曲げ無理な姿勢で靴下を履くことは非常に困難で苦痛を伴う。そこで、例えば［特許文献１］特開２０００−３１６７００号（段落番号０００４）公報参照に示されるような技術が開示されている。
【考案の開示】
【考案が解決しようとする課題】
【０００３】  上記参照の従来の技術では、Ｕの字型の板の厚さが薄いため、かがと辺りで滑りが悪く足の挿入が容易でない、又クリップの係止力が靴下挿入後更に引いて外せる程度であるるため、挿入途中でクリップから靴下が外れ機能を果せない問題点がある。本考案はかかる従来技術の問題点に鑑みなされた、靴下装着補助具を提供することを目的とする。
【課題を解決するための手段】
【０００４】  上記問題点を解決するための請求項１に記載の発明は、靴下装着補助具であって、靴下を係止するバネ式挟み具、前記バネ式挟み具を引き上げる操作棒及び当該操作棒に固着された把手、前記バネ式挟み具を開閉操作する副操作棒及び当該副操作棒に固着された把手により構成し、それを１組とし、その２組を前記バネ式挟み具部分で足巾程度のＵ字型繋ぎ具により左右対称に、丁番形式にて接続していることを特徴とする。【０００５】  請求項２に記載の発明は、請求項１に記載した靴下装着補助具であって、バネ式挟み具は、挟み面の係止を強化するため挟み面各々に高さ１〜２ｍｍ程度の凸部を設け、その凸部は噛み合うよう、ずらして成型していることを特徴とする。【０００６】  請求項３に記載の発明は、請求項１に記載した靴下装着補助具であって、Ｕ字型繋ぎ具の断面は円形であり、Ｕ字型は下部の巾より上部の巾が狭くなっていることを特徴とする。
【考案の効果】
【０００７】  本考案は、靴下を直接手で持たずバネ式挟み具に挟み係止し、手元の操作棒把手にて操作し靴下を履くことで、腰を深く曲げる必要がない。
【考案を実施するための最良の形態】
【０００８】  バネ式挟み具に靴下を挟み係止する作業の効率を良くするため、Ｕ字型繋ぎ具のＵ字型は下部の巾より上部の巾が狭くなっていること。バネ式挟み具の挟み面各々には、互いにかみ合う位置に１〜２ｍｍ程度の凸部を設け挟んだ靴下が滑り、外れないよう成型されていること。靴下をバネ式挟み具に挟み係止後、口ゴム部につま先を入れ足を挿入するため引き上げる操作棒の長さ、及び挿入後、係止を外す副操作棒の長さは腰を深く曲げる必要がない位置に各々の把手がくる長さであること。
【実施例】
【０００９】  以下、添付図面に従って実施例を説明する。先ず靴下の口ゴム部を８Ｕ字型繋ぎ具部に差し込む、８Ｕ字型繋ぎ具のＵ字型は下部より上部が狭くなっているため滑り外れることはない。次に口ゴム部を左右の１バネ式挟み具に片方ずつ奥深く差し込み挟み靴下を係止する、１バネ式挟み具の挟み面各々には互いに噛み合う凸部が形成されているため係止された靴下は引き上げにより外れることはない。以上の作業で口ゴム部につま先が入る程度の開口が出来る。その開口につま先を入れ左右の３操作棒把手を徐々に引き上げると、２操作棒、１バネ式挟み具と連結しているため係止された靴下に足が挿入する。挿入が完了すると５副操作棒把手に持ち替え引き上げると、４副操作棒、７バネ式挟み具と副操作棒の接続紐、１バネ式挟み具の解除えと連動し靴下が外れ装着は終了する。
【図面の簡単な説明】
【００１０】
【図１】本考案の靴下装着補助具の実施形態を示す斜視図である。
【図２】本考案の靴下装着補助具の平面図である。
【図３】図１平面図のＡ−Ａ面図である。
【図４】図１平面図のＢ−Ｂ面図である。
【図５】図１平面図のＣ−Ｃ面図である。
【符号の説明】
【００１１】１  バネ式挟み具
２  操作棒
３  操作棒把手
４  副操作棒
５  副操作棒把手
６  副操作棒ガイドパイプ
７  バネ式挟み具と副操作棒の接続紐
８  Ｕ字型繋ぎ具
９  ピン
【図１】
0003131560.tif 000003
【図２】
0003131560.tif 000004
【図３】
0003131560.tif 000005
【図４】
0003131560.tif 000006
【図５】
0003131560.tif 000007
(57)【要約】【課題】吸湿、消臭および滑止効果を有し、且つ冬暖かく夏涼しい効果を有し、巻いて収めることが極めて便利であり、一度巻き収めて展開しても、床面に十分に貼付可能であるコルクマットを提供する。【解決手段】下層と、合成樹脂によって前記下層に貼り付けられた補強層と、合成樹脂によって前記補強層に貼り付けられたコルク層と、を含み、前記下層の下面には、ハチの巣状を呈する滑止模様が設けてあり、前記補強層は織物であってもいいことを特徴とするコルクマット。【選択図】図１
0003131591.tif 000002
【実用新案登録請求の範囲】
【請求項１】
下層と、合成樹脂によって前記下層に貼り付けられた補強層と、合成樹脂によって前記補強層に貼り付けられたコルク層とを含むことを特徴とする、コルクマット。
【請求項２】
前記下層の下面には、ハチの巣状を呈する滑止模様が設けてあることを特徴とする、請求項１に記載のコルクマット。
【請求項３】
前記補強層は、織物であってもいいことを特徴とする、請求項１に記載のコルクマット。
【考案の詳細な説明】
【技術分野】
【０００１】
本考案は、コルクマットに係り、特に、吸湿、消臭および滑止効果を有し、巻いて収めることが極めて便利であるコルクマットに関するものである。
【背景技術】
【０００２】
目下、床面に、横になったり、横たわったり、座ったりしてスポーツをやることがどんどん増えており、例えばヨガをやっている人は、床面に敷きられた酢酸ビニル（ＥＶＡ）、ＰＶＣ、ＴＰＥやＰＯＥなどの材料を発泡して作製されたマットの上面でヨガをやることにより、床面との直接な接触による怪我を回避できる。
【０００３】
しかしながら、スポーツをやっているときに、ユーザの汗はマットに垂らして下ろし易く、且つ酢酸ビニル（ＥＶＡ）、ＰＶＣ、ＴＰＥやＰＯＥなどの発泡樹脂で作製されたマットが汗を吸収できないので、このようなマットが濡れた状態になり、そのままスポーツをやると、ユーザは、快適な感じがしなく、更に、油断で滑り倒れる可能性もある。
【０００４】
また、酢酸ビニル（ＥＶＡ）、ＰＶＣ、ＴＰＥやＰＯＥなどの発泡樹脂で作製されたマットが汗を吸収できないので、汗が発泡樹脂で作製されたマットの上面に泊まって臭い味が発生し、だから、マットを頻繁に洗浄することが必要である。
【０００５】
また、酢酸ビニル（ＥＶＡ）、ＰＶＣ、ＴＰＥやＰＯＥなどの発泡樹脂で作製されたマットはより硬いので、マットを巻いて収めることが困難であるので、収納スペースがかなり掛り、そして一度巻き収めたマットを展開するときに、その回復性が良くないので、床面に十分に貼り付けることができない。
【考案の開示】
【考案が解決しようとする課題】
【０００６】
本考案の主な目的は、吸湿、消臭および滑止効果を有し、且つ冬暖かく夏涼しい効果を有し、巻いて収めることが極めて便利であり、一度巻き収めて展開しても、床面に十分に貼付可能であるコルクマットを提供することにある。
【課題を解決するための手段】
【０００７】
上記目的を達成するためになされた本願の考案は、下層と、合成樹脂によって前記下層に貼り付けられた補強層と、合成樹脂によって前記補強層に貼り付けられたコルク層と、を含むことを特徴とするコルクマットであることを要旨としている。
【０００８】
本願の考案では、前記下層の下面には、ハチの巣状を呈する滑止模様が設けてあることを特徴とする請求項１に記載のコルクマットであることを要旨としている。
【０００９】
本願の考案では、前記補強層は、織物であってもいいことを特徴とする請求項１に記載のコルクマットであることを要旨としている。
【考案の効果】
【００１０】
本考案のコルクマットによれば、吸湿、消臭および滑止効果を有し、且つ冬暖かく夏涼しい効果を有し、巻いて収めることが極めて便利であり、一度巻き収めて展開しても、床面に十分に貼付可能になる効果がある。
【考案を実施するための最良の形態】
【００１１】
以下、添付図面を参照して本考案の好適な実施の形態を詳細に説明する。
【００１２】
まず、図１から図３を参照する。本考案のコルクマットは、下層１０と、補強層１１と、コルク層１２と、を含む。
【００１３】
前記下層１０は、フレキシブルであり弾性を持つ発泡体（例えば発泡ゴムなど）で作製されたものであり、また、図２に示すように、前記下層１０の下面には、ハチの巣状を呈する滑止模様１０１が設けてある。
【００１４】
前記補強層１１は、織物であってもよく、合成樹脂によって前記下層１０に貼り付けられた。
【００１５】
前記コルク層１２は、合成樹脂によって前記補強層１１に貼り付けられた。
【００１６】
このような構成により、本考案のコルクマットの上面にスポーツをやっているときに、前記下層１０は、フレキシブルであり弾性を持つ発泡体で作製されたものであり、且つその下面に滑止模様１０１が形成されたので、滑止効果が優れており、使用の安全性が高くなる。
【００１７】
また、前記コルク層１２は、天然な木材で作製されたものであるので、吸湿、消臭および滑止効果を有し、且つ冬暖かく夏涼しい効果を有し、ユーザから放出された湿気を吸収可能であり、その表面には何時も乾燥状態にあり、だから、本考案のコルクマットの上面に、横になったり、横たわったり、座ったりしてスポーツをやっているときに、ユーザは熱く感じなく、快適な感じがする。
【００１８】
また、本考案のコルクマットを使用しないときには、コルク層１２と下層１０とがフレキシブルであり弾性を持つ素材で作製されたものであるので、図３に示すように、巻いて収めることが極めて容易になり、収納スペースを縮小することができ、且つ一度巻き収められたマットを展開するときに、下層１０が弾性を持つので、本考案のコルクマットは床面に十分に貼り付けることができる。
【００１９】
また、コルク層１２は亀裂し易いものであるので、本考案において、コルク層１２と下層１０との間には、補強層１１が合成樹脂によって貼り付けてあり、これにより、本考案のコルクマットを巻いて収めても、コルク層１２が湾折されて亀裂することはない。
【００２０】
また、本考案のコルクマットは、吸湿および滑止効果を有するので、ドアマットやキャンプマットなどの用途に適用することもできる。
【００２１】
また、本考案のコルク層は、緩衝性および吸音性を持つので、壁面または床面に設置して、防音効果を収めることができる。
【図面の簡単な説明】
【００２２】
【図１】本考案の分解斜視図である。
【図２】本考案の下層の下方から見た斜視図である。
【図３】本考案のコルクマットの巻き収められた状態を示す概略図である。
【符号の説明】
【００２３】
１０      下層
１１      補強層
１２      コルク層
１０１    滑止模様
【図１】
0003131591.tif 000003
【図２】
0003131591.tif 000004
【図３】
0003131591.tif 000005
(57)【要約】      （修正有）【課題】長襦袢無しで衿元のオシャレが簡単に出来る様な和装下着を提供する。【解決手段】上半身部分の１に、オシャレなレース３を縫合する事により、衿元のオシャレが簡単に楽しむことが出来る、長襦袢不要のオシャレ衿付和装下着となる。【選択図】図１
0003131546.tif 000002
【実用新案登録請求の範囲】
【請求項１】
上半身部分と下半身部分とを一連にした前合わせ形の便利な和装下着であって、上半身部分の衿のところにレースをミシンで縫合し、着物（ゆかた）を着たときに衿元からレースが見えて、オシャレアップできることを特徴とした和装下着。
【考案の詳細な説明】
【技術分野】
【０００１】本考案は婦人用のオシャレ衿付和装下着に関するものである。
【背景技術】
【０００２】従来の和装下着は着物（ゆかた）の内側に隠れたもので、内側のオシャレに限定されていた。
【考案の開示】
【考案が解決しようとする課題】
【０００３】着物姿のオシャレの方法に衿元の見せ方がある。従来、その方法は和装下着の上から長襦袢を重ね着して衿元に半衿を縫いつけたり、あるいは伊達衿などの重ね衿を余分に装着して表現していた。重ね衿を使っての表現は手間がかかり、又、夏のゆかたの着付けに長襦袢を着ること自体、暑苦しく不自然で、衿元のオシャレは大変無理があった。本考案は長襦袢無しで衿元を外側に見せるオシャレが簡単に楽しむことが出来る和装下着を提供しようとするものである。
【課題を解決するための手段】
【０００４】本考案は上半身部分の衿の所にレースをミシンで縫合し、着物（ゆかた）を着たときに衿元からレースが見えて、長襦袢無しで簡単に衿元を外側に見せるオシャレが出来る事を特徴とするものである。
【考案の効果】
【０００５】従来、衿元のオシャレの方法は長襦袢の衿元に半衿を縫いつけ、伊達衿、重ね衿を余分に装着して、大変手間のかかるものであった。そこで本考案の和装下着は、これを着るだけで着物の衿元のオシャレが簡単に出来、費用、手間を軽減することで実用上すぐれた効果が得られるものである。
【考案の実施するための最良の形態】
【０００６】本考案を実施するための最良の形態は、着物（ゆかた）の衿幅、衿グリの深さ、肩アキの広さを考慮し、本考案の和装下着の衿廻りを完成させ、その上から一定幅のレースを着物（ゆかた）の衿部分の外へ美しく出るように縫合する。
【実施例】
【０００７】本考案では、上半身部分の衿のところにレースをミシンで縫合し、長襦袢無しで着物（ゆかた）を着たときでも、衿元からレースが見え、オシャレを楽しむ事が出来るようになる。
【産業上の利用可能性】
【０００８】日本人の着物離れの大きな原因は、手間のかかる重ね着の着付け方法にあった。本考案の和装下着は長襦袢を着なくても衿元のオシャレが、簡単に楽しめ、又、低価格で若い人にも楽しんでいただける様、考案した。
【図面の簡単な説明】
【０００９】
【図１】本考案になるオシャレ衿付和装下着の前面図である。
【図２】図１に示すオシャレ衿付和装下着の背面図である。
【符号の説明】
１、上半身部分
２、下半身部分
３、レース（縫合）
線Ａ−Ｂ  縫合部
【図１】
0003131546.tif 000003
【図２】
0003131546.tif 000004
(57)【要約】【課題】ネックストラップに追加した吸盤又はマグネット板により冷蔵庫、自動車そして携帯電話器等と一体化して音源の位置決めとハンドリングに於けるマンマシンインターフェイス向上を計れる吸盤付き携帯助聴器。【解決手段】  携帯助聴器２に吸盤又はマグネット板１を接着剤で接着する事により、マンマシンインターフェイス向上を計る吸盤付き携帯助聴器。【選択図】          図１
0003131549.tif 000002
【実用新案登録請求の範囲】
【請求項１】
ゴム又はプラスチック製の吸盤又はマグネット吸着板を接着する事に於て音源の位置決めとハンドリングに於てマンマシンインターフェイス向上を計った吸盤付き携帯助聴器。
【考案の詳細な説明】
【技術分野】
【０００１】
本考案は、従来の携帯助聴器としての首から下げて携帯に便利、ネックストラップ付きの吸盤付き携帯助聴器。
【背景技術】
【０００２】
ネックストラップ付きの吸盤付き携帯助聴器は、携帯助聴器と人体を首から下げるひもにより音源の位置決めとハンドリングに於けるマンマシンインターフェイス向上を計っているものである。
【考案の開示】
【考案が解決しようとする課題】
【０００３】
しかしながら、携帯電話や台所仕事との音源の位置決めとハンドリングに於けるマンマシンインターフェイス向上に同時に２つ以上のものを取り扱う事に於て難があった。
【０００４】
本考案は上記実情に鑑みてなされたものであり、ネックストラップに追加した吸盤又はマグネット板により携帯電話や台所仕事の冷蔵庫に吸着させることにより音源の位置決めとハンドリングに於けるマンマシンインターフェイス向上を計ることを目的としている。
【課題を解決するための手段】
【０００５】
上記目的を達成するため考案は、同時に２つ以上のものを取り扱うことであり、次の構成を含むことを特徴としている。
携帯電話，自動車、ＴＶリモコンスイッチ、冷蔵庫等にその有する吸盤又はマグネット板により２つのものを吸着させて一体化する事によりマンマシンインターフェイス向上を計るものである。
【考案の効果】
【０００６】
本考案により音源の位置決めとハンドリングに於けるマンマシンインターフェイス向上を計ることにより携帯助聴器（福祉機器）の普及を計ることができる。
【考案を実施するための最良の形態】
【０００７】
本考案の実施形態の一例について、図面を参照しながら説明する。
携帯助聴器２に吸盤又はマクネット板１を接着剤で接着させる事により、運用時に、携帯電話や冷蔵庫に吸着させ音源の位置決めとハンドリングのマンマシンインターフェイス向上を計る吸盤付き携帯助聴器。
【図面の簡単な説明】
【０００８】
【図１】本考案の吸盤付き携帯助聴器を示す図である。
【符号の説明】
【０００９】
１        吸盤又はマグネット板
２        携帯助聴器
【図１】
0003131549.tif 000003
【手続補正書】
【提出日】平成19年2月22日(2007.2.22)
【手続補正１】
【補正対象書類名】実用新案登録請求の範囲
【補正対象項目名】請求項１
【補正方法】変更
【補正の内容】
【請求項１】
ゴム又はプラスチック製の吸盤又はマグネット吸着板を接着する事によって音源の位置決めとハンドリングに於いてマンマシンインターフェイス向上を計った吸盤付き携帯助聴器。
【手続補正２】
【補正対象書類名】明細書
【補正対象項目名】０００９
【補正方法】変更
【補正の内容】
【０００９】
１.吸盤
２.マグネット板
３.携帯助聴器
【手続補正３】
【補正対象書類名】図面
【補正対象項目名】全図
【補正方法】変更
【補正の内容】
【図１】
0003131549.tif 000004
(57)【要約】【課題】キノコ類を栽培する際の、栽培パレットの入れ替え作業を軽減する縦回転式の栽培棚を提供する。【解決手段】突起の付いたチェーンを両側に配置し、この突起に棚を懸架することで、棚を常に水平な状態で縦方向に移動することができる。また、栽培棚を縦軸回転台に載せることで、栽培棚の向きを３６０度自在に変えることができる。【選択図】図１
0003131541.tif 000002
【実用新案登録請求の範囲】
【請求項１】
立方型に成形したフレームの両側面に復数個の歯車を取付け、突起の付いたチェーンをかける、このチェーンの突起に両側にフックが付いた棚板を懸架することで、棚が常に水平な状態を保ったまま任意の高さに現われる構造を持つ収納棚。
【請求項２】
上記請求項１の収納棚を、縦軸回転する回転台が付いた架台に載せることで、収納棚の向きを自在に変えることができる構造を持つ収納棚。
【考案の詳細な説明】
【技術分野】
【０００１】本案は、農業においてキノコ類の栽培に用いられる、限られた空間を最大限に活用し、かつ作業効率を向上させる栽培棚の構造に関する。
【背景技術】
【０００２】限られた空間でより多くのキノコ類を栽培する場合、多段の栽培棚やフレームに棚板を固定した栽培棚が用いられるが、キノコ類が発するガスの影響を緩和するための栽培パレットの入れ替えの際、最上段から最下段までの高低差が作業性を悪くする。【０００３】このような、栽培棚は棚板の数を多くすると栽培棚が大きくなり、一度設置すると移動することが困難になる。
【考案の開示】
【考案が解決しようとする課題】
【０００４】本考案は、上記実情に鑑みてなされたもので、栽培棚の棚板の位置を任意の高さに容易に変えることができ、栽培パレットの入れ替え作業にかかる手間を大幅に削減することができる栽培棚を提供するものである。【０００５】本考案は、さらに作業内容にあわせて栽培棚の向きを容易かつ自在にかえることができる、極めて作業効率を向上させる栽培棚を提供するものである。
【課題を解決するための手段】
【０００６】前述の課題を解決するために、本考案の栽培棚は、立方型に成形したフレームの両側に歯車を復数個取付け、棚の大きさに準じた間隔で突起を付けたチェーンを歯車に掛ける。両側にフックが付いた棚を両側のチェーンの突起に掛け懸架する。両側の歯車を同時に回転させると、棚が常に水平な状態で正面に現われることを特徴とする構造である。【０００７】また、上記の栽培棚を縦軸回転の回転台を付けた架台に載せることで、棚を懸架したまま栽培棚の向きを３６０度自在に変えることができることを特徴とする構造である。
【考案の効果】
【０００８】本考案により、キノコ栽培における栽培パレットの入れ替え作業が、歯車を回転させるだけで容易にできるようになる。
【考案を実施するための最良の形態】
【０００９】図１のフレーム  １  の上下に歯車  ２  を左右同時に回転するよう図２の軸  １１  の両側に取り付ける、この歯車に突起がついたチェーン  ３  を突起の位置が左右水平になるように張る。このチェーン  ３  の突起に図３のフック  １３  で棚を懸架し、配置する。図１の減速機  ７  のハンドル  ８  を廻すとチェーン  ９  により歯車  ２  及びチェーン  ３  が回転し、棚  ４  が常に水平を保ったままチェーン  ３  の軌道上を移動する。歯車のサイズ及び数、条件によって増減する。また、歯車の駆動は、手動のほかにモーターによる自動も可能である。【００１０】図１のフレーム  １  は回転台  ５  によって３６０度自在に向きを変えることができる。
【産業上の利用可能性】
【００１１】本考案は、キノコ類の栽培の際に、キノコが発するガスの悪影響を緩和するための栽培パレットの入れ替え作業を画期的に軽減する、栽培棚に関するものである。
【図面の簡単な説明】
【００１２】
【図１】本考案の右側面図
【図２】本考案の正面図
【図３】棚の簡単な斜視図
【符号の説明】
【００１３】  １  フレーム
２  歯車
３  突起付きチェーン
４  棚
５  縦軸回転台
６  架台フレーム
７  減速機
８  ハンドル
９  チェーン
１０  軸受け
１１  軸
１２  突起
１３  フック
【図１】
0003131541.tif 000003
【図２】
0003131541.tif 000004
【図３】
0003131541.tif 000005
(57)【要約】      （修正有）【課題】突起自体を磁石にする事により頭部全体に磁力がいきわたり、より血行を促進させる。【解決手段】ヘアーブラシの本体１の側面に、植毛部３を設け、弾性磁石材の突起２が植え付けられている。【選択図】図２
0003131543.tif 000002
【実用新案登録請求の範囲】
【請求項１】
突起に、磁石を使用することを特徴とするヘアーブラシ。
【請求項２】
前記磁石材は、植毛部全体に設植えつけられた弾性突起であることを特徴とする請求項１記載のヘアーブラシ。
【考案の詳細な説明】
【技術分野】
【０００１】  この考案は、髪を整えるのに用いるヘアーブラシの構造に関する。
【背景技術】
【０００２】  従来の髪を整えるのに用いる磁石付ヘアーブラシの構造は、図２に示すように、突起２の先端に磁石３を取り付けたものである。
【考案の開示】
【考案が解決しようとする課題】
【０００３】しかしながら、以上の技術によれば、磁石の磁力のまかなう範囲が狭く、より効果的な血行促進が得られなかった。
そこで、この考案は、突起２全体を磁石にするヘアーブラシを提供することを課題とする。
【課題を解決するための手段】
【０００４】  以上の課題を解決するために、第一考案は、突起全体を磁石とすることを特徴とするヘアーブラシである。
また、第二考案は、突起磁石は弾性磁石材であることを特徴とするヘアーブラシである。
【考案の効果】
【０００５】  第一考案、または第二考案によれば、磁力が、頭皮、毛髪全体にいきわたる。
【考案を実施するための最良の形態】
【０００６】  この考案の一実施形態を、図１に示す。
ヘアーブラシの本体１の側面に、植毛部３を設け、弾性磁石材の突起２が植えつけられている。【０００７】「実施形態の効果」
この実施形態によれば、棒状の突起２の働きで、髪を梳かしたとき磁力が頭皮、毛髪全体にいきわたり血行を促進する。【０００８】「他の実施形態」
図１の実施形態では、突起２は弾性磁石材であったが、他の実施形態では、突起２は鉄製棒状磁石を植毛したものでも良い。
【図面の簡単な説明】
【０００９】
【図１】この考案の一実施形態を示す平面図である。
【図２】従来技術を示す平面図である。
【符号の説明】
【００１０】    １  ヘアーブラシ本体    ２  突起    ３  植毛部    ４  磁石
【図１】
0003131543.tif 000003
【図２】
0003131543.tif 000004
(57)【要約】      （修正有）【課題】従来の小型ホッチキスで紙を多数（１５枚以上）クリンチするときステップルが変形し、うまく綴じることができないことがあった。そこで、ステップルを確実に紙の束にクリンチできるホッチキスを提供する。【解決手段】クリンチャ部Ａに凸部、クリンチャ部Ｂに凹部（凸部に対面）を設ける事によりクリンチ時被綴じり材をしっかり保持できるので確実に綴じ作業ができる。【選択図】図１
0003131542.tif 000002
【実用新案登録請求の範囲】
【請求項１】
基部、クリンチャ部に固定用凸凹部を設けたこと特徴とするホッチキス。
【請求項２】
前記凸凹は、クリンチャ部Ａ、とＢが接触時、合致することを特徴とする請求項１記載のホッチキス。
【考案の詳細な説明】
【技術分野】
【０００１】この考案は、書類等の綴じ作業時、確実にステープルを固定するホッチキスの構造に関する。
【背景技術】
【０００２】  従来の書類等を綴じるのに用いる小型ホッチキスの構造は、図２に示すように、基部１、ドライバー部２にクリンチャ部Ａ３。、及びＢ４をもけたものである。
【考案の開示】
【考案が解決しようとする課題】
【０００３】しかしながら、以上の技術によれば、紙を多数（１５枚以上）綴じる時ステップルが変形し、うまく綴じることができないことがあ。
そこで、この考案は、ステップルを確実に紙の束にクリンチできるホッチキスを提供することを課題とする。
【課題を解決するための手段】
【０００４】  以上の課題を解決するために、第一考案は、クリンチャ部Ａ３に凸棒突起を有することを特徴とするホッチキスである。
また、第二考案は、クリンチャ部Ｂ４に凹溝（凸棒突起に対面）を有することを特徴とするホッチキスである。
【考案の効果】
【０００５】  第一考案、または第二考案によれば、被綴じり材をクリンチする際、基部１とステップル格納部５を定位置で接することができる。
【考案を実施するための最良の形態】
【０００６】  この考案の一実施形態を、図１に示す。
ホッチキスの基部１のクリンチャ部Ｂ４に、凹部６。クリンチャ部Ａ３に凸部７（凹部に対面）がとりつけられている。【０００７】「実施形態の効果」
この実施形態によれば、凸、凹部の働きで、被綴じり材をクリンチしたときクリンチャ部Ａ３とＢ４が、しっかり被綴じり材を保持しステップルを確実にクリンチできる。【０００８】「他の実施形態」
図１の実施形態では、凸部（棒状突起）、凹部（溝状）であったが、他の実施形態では、凸部は粒突起、凹部は穴でも良い。
【図面の簡単な説明】
【０００９】
【図１】この考案の一実施形態を示す平面斜視図である。
【図２】従来技術を示す平面図である。
【符号の説明】
【００１０】    １  基部    ２  ドライバー部    ３  クリンチャ部Ａ    ４  クリンチャ部Ｂ    ５  ステップル格納部    ６  凹部    ７  凸部
【図１】
0003131542.tif 000003
【図２】
0003131542.tif 000004